(57)【要約】      （修正有）【課題】ケース内の展示物を容易に変えることができるブラジャー用パッドを提供する。【解決手段】ブラジャー用パッド１は、１対のカップＣの下側縁に沿って１対のワイヤーＹが設けられたブラジャー１００において、１対のカップＣの谷間Ｃ１周辺において、１対のワイヤーＹの端部Ｙ１を覆うように、ブラジャー１００の皮膚に当接する面に貼付され、柔軟性を有する吸水性素材で形成される。さらに、上部と下部に切断可能な水平切り取り線が形成され、水平切り取り線の近傍において、ブラジャー１００に貼付するための接着部が設けられている。【選択図】図１
0003183610.tif 000002
【実用新案登録請求の範囲】
【請求項１】
１対のカップの下側縁に沿って１対のワイヤーが設けられたブラジャーにおいて、１対の前記カップの谷間周辺において、１対の前記ワイヤーの端部を覆うように、前記ブラジャーの皮膚に当接する面に貼付されるブラジャー用パッドであって、
柔軟性を有する吸水性素材で形成され、
上部と下部に切断可能な水平切り取り線が形成され、
前記水平切り取り線の近傍において、前記ブラジャーに貼付するための接着部が設けられているブラジャー用パッド。
【請求項２】
１対の前記カップの谷間周辺において、１対の前記ワイヤーの間隔より、互いの間隔が広く形成された１対の側縁を有し、
１対の前記側縁は、正面視で略八の字形状に形成され、
それぞれ１対の前記側縁に沿って延び、中央部分を切断可能な１対の斜め切り取り線が形成され、
１対の前記側縁と１対の前記斜め切り取り線との間に前記接着部が設けられている請求項１に記載のブラジャー用パッド。
【考案の詳細な説明】
【技術分野】
【０００１】
本考案は、ブラジャー用パッドに関し、特に、１対のカップの下側縁に沿って１対のワイヤーが設けられたブラジャーにおいて、１対のカップの谷間周辺において、１対のワイヤーの端部を覆うように、ブラジャーの皮膚に当接する面に貼付されるブラジャー用パッドに関する。
【背景技術】
【０００２】
従来、ブラジャーには、カップの下側縁に沿って１対のワイヤーが設けられている。この１対のワイヤーの端部は、ブラジャーを着用したとき、胸部中央に配置され、着用者の動作によっては着用者の皮膚に当接し、着用者に痛み等の不快感を生じさせる場合がある。
【０００３】
そこで、ブラジャー肌側のワイヤーが入っている部分の身体中心部分に強く当たる部分であるブラジャー中心部を包み、固定する保護材が提案されている（特許文献１参照）。
【０００４】
この特許文献１の保護材によれば、ワイヤー入りブラジャー着用時に起きる、擦り傷、こすれ、痛みがもっとも強く起きる身体部分を保護しワイヤーへの肌当たりを緩和できる。
【先行技術文献】
【特許文献】
【０００５】
【特許文献１】特開平１１−１５８７０７号公報
【考案の概要】
【考案が解決しようとする課題】
【０００６】
しかしながら、特許文献１の保護材は、ブラジャー中心部を包み固定するため、保護材がブラジャーから著しくはみ出した状態で固定されている。このため、保護材を固定したブラジャーを着用した場合、ブラジャーの着用者の美的外観を損なう場合があった。
【０００７】
本考案は、ワイヤー入りブラジャー着用時の不快感を抑えるとともに、着用者の美的外観を損なうことがないブラジャー用パッドを提供することを目的とする。
【課題を解決するための手段】
【０００８】
（１）  １対のカップの下側縁に沿って１対のワイヤーが設けられたブラジャーにおいて、１対の前記カップの谷間周辺において、１対の前記ワイヤーの端部を覆うように、前記ブラジャーの皮膚に当接する面に貼付されるブラジャー用パッドであって、
柔軟性を有する吸水性素材で形成され、
上部と下部に切断可能な水平切り取り線が形成され、
前記水平切り取り線の近傍において、前記ブラジャーに貼付するための接着部が設けられているブラジャー用パッド。
【０００９】
（１）の構成によれば、ブラジャー用パッドは、１対のカップの下側縁に沿って１対のワイヤーが設けられたブラジャーにおいて、１対のカップの谷間周辺において、１対のワイヤーの端部を覆うように、ブラジャーの皮膚に当接する面に貼付されるブラジャー用パッドである。
このブラジャー用パッドは、柔軟性を有する吸水性素材で形成され、水平切り取り線が形成され、接着部が設けられている。
水平切り取り線は、ブラジャー用パッドを上部と下部に切断可能とする。
接着部は、水平切り取り線の近傍において、ブラジャーに貼付するために設けられている。
【００１０】
これにより、柔軟性を有する吸水性素材で形成されたブラジャー用パッドを、１対のワイヤーの端部を覆うように、ブラジャーの皮膚に当接する面に貼付できる。
よって、ブラジャー用パッドを、ブラジャーから著しくはみ出ることなく、ブラジャーに固定でき、ワイヤーの端部から着用者の皮膚を保護できる。
【００１１】
ここで、ブラジャーは、一般的に、１対のカップの下側縁が、着用者の体に巻かれるベルトに固定されている。カップの下側縁より下方におけるベルトの幅は、ブラジャーのデザインにより様々である。
本考案によれば、ブラジャー用パッドを上部と下部に切断可能とする水平切り取り線を形成した。また、切り取り線の近傍に接着部を設けた。
このような構成によれば、例えば、カップの下側縁より下方におけるベルトの幅が広いブラジャーを着用する場合には、このブラジャーにブラジャー用パッドをそのまま貼付する。一方、カップの下側縁より下方におけるベルトの幅が狭いブラジャーを着用する場合には、水平切り取り線により下部を切断し、上部のみをこのブラジャーに貼付する。
【００１２】
このように、ブラジャーのデザインに応じて、ブラジャー用パッドの大きさを調節できるので、ブラジャーのデザインにかかわらず、ブラジャーから著しくはみ出ることなく、ブラジャー用パッドをブラジャーに固定できる。
したがって、ワイヤー入りブラジャー着用時の不快感を抑えるとともに、着用者の美的外観を損うことがないブラジャー用パッドを提供できる。
【００１３】
（２）  １対の前記カップの谷間周辺において、１対の前記ワイヤーの間隔より、互いの間隔が広く形成された１対の側縁を有し、
１対の前記側縁は、正面視で略八の字形状に形成され、
それぞれ１対の前記側縁に沿って延び、中央部分を切断可能な１対の斜め切り取り線が形成され、
１対の前記側縁と１対の前記斜め切り取り線との間に前記接着部が設けられている（１）に記載のブラジャー用パッド。
【００１４】
（２）の構成によれば、ブラジャー用パッドは、（１）の構成に加え、１対のカップの谷間周辺において、１対のワイヤーの間隔より、互いの間隔が広く形成された１対の側縁を有し、１対の斜め切り取り線が形成されている。
１対の側縁は、正面視で略八の字形状に形成されている。
１対の斜め切り取り線は、それぞれ１対の側縁に沿って延び、ブラジャー用パッドの中央部分を切断可能とする。
また、接着部は、１対の側縁と１対の斜め切り取り線との間に設けられている。
【００１５】
これにより、ブラジャー用パッドの形状を、着用者の胸部中央の形状に適合する末広がりの形状に形成できるので、ブラジャー用パッドを貼付したブラジャーの装着時の違和感を軽減できる。
【００１６】
ここで、着用者の胸部中央には、胸部に発生した汗が集中して流れ込む。
本発明によれば、ブラジャー用パッドを末広がりの形状に形成したので、ブラジャー用パッドによる違和感を軽減しつつ、広範囲で汗を吸収できる。
【００１７】
また、ブラジャー用パッドの中央部分を切断可能とする１対の斜め切り取り線を設けたので、例えば、中央部分が吸水した汗で湿り、着用者が不快に感じた場合には、１対のワイヤーの端部を覆う部分を残し、中央部分を切断し廃棄できる。
【００１８】
また、ブラジャーによっては、１対のカップが紐状体で連結されているものもある。このようなデザインのブラジャーであっても、本考案よれば、水平切り取り線により下部を切断し、１対の斜め切り取り線により中央部分を切断することで、１対のワイヤーの端部を覆う部分のみをブラジャーに貼付できる。
よって、ワイヤー入りブラジャー着用時の不快感を抑えるとともに、ブラジャーのデザインにかかわらず、着用者の美的外観を損うことがないブラジャー用パッドを提供できる。
【考案の効果】
【００１９】
本考案によれば、ワイヤー入りブラジャー着用時の不快感を抑えるとともに、着用者の美的外観を損うことがないブラジャー用パッドを提供できる。
【図面の簡単な説明】
【００２０】
【図１】本考案の一実施形態に係るブラジャー用パッドをブラジャーに貼付した状態を示す図である。
【図２】前記実施形態に係るブラジャー用パッドを説明する図である。
【図３】図１に示すブラジャーとデザインが異なるブラジャーに、前記実施形態に係るブラジャー用パッドを使用する方法を説明する図である。
【図４】図１に示すブラジャーとデザインが異なるブラジャーに、前記実施形態に係るブラジャー用パッドを使用する方法を説明する図である。
【考案を実施するための形態】
【００２１】
本考案の実施形態に係るブラジャー用パッド１の構成を図面に基づいて説明する。
図１は、本考案の一実施形態に係るブラジャー用パッド１をブラジャー１００に貼付した状態を示す図である。
ブラジャー用パッド１は、ベルトＢで連結された１対のカップＣの下側縁に沿って１対のワイヤーＹが設けられたブラジャー１００において、１対のカップＣの谷間Ｃ１周辺において、１対のワイヤーＹの端部Ｙ１を覆うように、ブラジャー１００の皮膚に当接する面に貼付される。
また、ブラジャー用パッド１は、使い捨ての態様で使用され、例えば、汗で湿った場合やブラジャーを洗濯するときに、ブラジャー１００から剥がされ廃棄される。
【００２２】
図２は、前記実施形態に係るブラジャー用パッド１を説明する図である。
ブラジャー用パッド１は、ブラジャー用パッドは、水平切り取り線１０及び１対の斜め切り取り線２０が形成され、接着部３０が設けられている。
【００２３】
ブラジャー用パッド１は、柔軟性を有する吸水性素材（例えば、コットン）がシート形状に形成され、一方の面に接着部３０が設けられている。
また、ブラジャー用パッド１は、非透水性シート（例えば、プラスチックフィルムやポリエチレンフィルムシート等）の一方の面に吸水性素材（例えば、コットン）を貼付し、この非透水性シートの他方の面に接着部３０を設けてもよい。
また、ブラジャー用パッド１は、ブラジャー１００に貼付される前（例えば、流通時）には接着部３０にシート（例えば、プラスチックフィルムやポリエチレンフィルムシート等）が貼付してあってもよい。この場合、使用者は、このシートを接着部３０から剥がし、ブラジャー用パッド１をブラジャー１００（図１参照）に貼付する。
また、ブラジャー用パッド１は、柔軟性を有する吸水性素材であれば、コットンに限らず、任意の素材で形成することができる。
【００２４】
ブラジャー用パッド１は、１対のカップＣの谷間Ｃ１周辺において、１対のワイヤーＹの間隔より、互いの間隔が広く形成された１対の側縁２を有する。１対の側縁２は、正面視で略八の字形状に形成され、ブラジャー用パッド１は正面視で略台形形状に形成されている。
【００２５】
水平切り取り線１０は、図２に示す左右方向に延び、一方の側縁２から他方の側縁２まで形成され、ブラジャー用パッド１を、当該水平切り取り線１０を境に分断される上部と下部に切断可能とする。
本実施形態において、水平切り取り線１０は、下から所定間隔で順次、第１切り取り線１１、第２切り取り線１２及び第３切り取り線１３が形成されている。なお、本実施形態では、水平切り取り線１０を３本形成しているが、これに限らず、水平切り取り線１０は１本、２本等、任意の本数とするこができる。
【００２６】
本実施形態において、水平切り取り線１０を境に分断される上部と下部とは、例えば、第２切り取り線１２を境に切断した場合には、ブラジャー用パッド１における第２切り取り線１２より上方が上部であり、第２切り取り線１２より下方が下部である。また、例えば、第３切り取り線１３を境に切断した場合には、ブラジャー用パッド１における第３切り取り線１３より上方が上部であり、第３切り取り線１３より下方が下部である。
【００２７】
１対の斜め切り取り線２０は、１対の側縁２に沿って延び、ブラジャー用パッド１の中央部分を切断可能とする。即ち、１対の斜め切り取り線２０は、正面視で略八の字形状に形成されている。
詳細には、１対の斜め切り取り線２０は、１対の側縁２から所定距離離れた位置において、ブラジャー用パッド１の上端から第３切り取り線１３まで、１対の側縁２と略平行して延びている。
【００２８】
接着部３０は、水平切り取り線１０近傍において、ブラジャー１００（図１参照）に貼付するために設けられている。
詳細には、接着部３０は、ブラジャー用パッド１の下端、第１切り取り線１１、第２切り取り線１２及び第３切り取り線１３の上方において、それぞれ水平方向に長辺を有する長方形形状に設けられている。なお、接着部３０は、長方形形状に限らず、ブラジャー用パッド１をブラジャー１００（図１参照）に貼付できれば、例えば、円形状等の任意の形状とすることができる。
また、接着部３０は、１対の側縁２と１対の斜め切り取り線２０との間に設けられている。詳細には、接着部３０は、側縁２と、斜め切り取り線２０と、第３切り取り線１３と、に囲まれた領域に設けられている。
【００２９】
これにより、ブラジャー用パッド１は、例えば、ブラジャー用パッド１を切断しない場合には、全ての接着部３０によりブラジャー１００（図１参照）に貼付される。また、ブラジャー用パッド１は、例えば、第１切り取り線１１を境に切断した場合には、第１切り取り線１１より上方に設けられた接着部３０によりブラジャー１００に貼付される。また、ブラジャー用パッド１は、例えば、第２切り取り線１２を境に切断した場合には、第２切り取り線１２より上方に設けられた接着部３０によりブラジャー１００に貼付される。また、ブラジャー用パッド１は、例えば、第３切り取り線１３及び１対の斜め切り取り線２０を境に切断した場合には、１対の側縁２と、１対の斜め切り取り線２０と、第３切り取り線１３と、に囲まれた領域に設けられた接着部３０によりブラジャー１００に貼付される。
【００３０】
このように、ブラジャー用パッド１は、ブラジャー１００（図１参照）に貼付する面積が増えるほど、接着部３０の面積も多くなる。また、ブラジャー用パッド１は、水平切り取り線１０及び１対の斜め切り取り線２０のどこで切断したとしても、確実にブラジャー１００に貼付できる。よって、ブラジャー用パッド１の使用態様にかかわらず、ブラジャー用パッド１を確実にブラジャー１００からずれるのを防止できる。
【００３１】
次に、図３及び図４を参照して、本考案の実施形態に係るブラジャー用パッド１の使用方法について説明する。
図３は、図１に示すブラジャー１００とデザインが異なるブラジャー２００に、前記実施形態に係るブラジャー用パッド１を使用する方法を説明する図である。
図４は、図１に示すブラジャー１００とデザインが異なるブラジャー３００に、前記実施形態に係るブラジャー用パッド１を使用する方法を説明する図である。
【００３２】
ブラジャー２００又はブラジャー３００にブラジャー用パッド１を使用する場合、使用者は、まず、１対のカップＣの谷間Ｃ１周辺において、１対のワイヤーＹの端部Ｙ１を覆うように、ブラジャー１００の皮膚に当接する面にブラジャー用パッド１を貼付する。
そして、使用者は、ブラジャー２００又はブラジャー３００のベルトＢの下端や１対のカップＣを連結する紐状体よりはみ出るブラジャー用パッド１の一部を切断する。
【００３３】
図３に示すブラジャー２００は、図１に示すブラジャー１００よりカップＣの下側縁より下方におけるベルトＢの幅が狭い。このため、ブラジャー用パッド１の第１切り取り線１１より下の部分がブラジャー２００のベルトＢの下端よりはみ出る（図３中破線部分）。
この場合、使用者は、ブラジャー用パッド１を第１切り取り線１１で切断し、下部を廃棄する。
【００３４】
また、図４に示すブラジャー３００は、１対のカップＣが紐状体で連結されている。このため、ブラジャー用パッド１の第３切り取り線１３より下の部分及び中央部分がブラジャー３００よりはみ出る（図４中破線部分）。
このような場合やブラジャー用パッド１が汗で湿ってしい不快に感じた場合、使用者は、ブラジャー用パッド１を第３切り取り線１１及び１対の斜め切り取り線２０で切断し、下部及び中央部分を廃棄する。
【００３５】
このように、本実施形態によれば、ブラジャーのデザインに応じて、ブラジャー用パッド１の大きさを調節できるので、ブラジャーのデザインにかかわらず、ブラジャーから著しくはみ出ることなく、ブラジャー用パッド１をブラジャーに固定できる。
したがって、ワイヤー入りブラジャー着用時の不快感を抑えるとともに、ブラジャーのデザインにかかわらず、着用者の美的外観を損うことがないブラジャー用パッドを提供できる。
【００３６】
なお、本考案は前記実施形態に限定されるものではなく、本考案の目的を達成できる範囲での変形、改良等は本考案に含まれるものである。
【符号の説明】
【００３７】
１    ブラジャー用パッド
１０  水平切り取り線
３０  接着部
Ｃ  カップ
Ｃ１  カップの谷間
Ｙ  ワイヤー
Ｙ１  ワイヤーの端部
１００、２００、３００  ブラジャー
【図１】
0003183610.tif 000003
【図２】
0003183610.tif 000004
【図３】
0003183610.tif 000005
【図４】
0003183610.tif 000006